(57)【要約】  シンジオタクチックポリスチレンを用いた離型フィルムの優れた性質を維持しつつ、埋め込み性にも優れた実用的な離型フィルムを提供する。  シンジオタクチックポリスチレン及び水素添加スチレン系熱可塑性エラストマーを配合した離型層を有してなる離型フィルムであって、前記水素添加スチレン系熱可塑性エラストマーの配合量が離型層の樹脂全体に対して１５〜３５wt％であることを特徴とする離型フィルムを提供する。水素添加スチレン系熱可塑性エラストマーは(ｉ)スチレン−エチレン−ブチレン−スチレンブロック共重合体、又は(ii)スチレン−エチレン−プロピレン−スチレンブロック共重合体であるのが好ましい。離型層にはさらに環状ポリオレフィン系樹脂を配合してよい。【特許請求の範囲】
【請求項１】
(Ａ)シンジオタクチックポリスチレン、及び
(Ｂ)水素添加スチレン系熱可塑性エラストマー
を配合した離型層を有するフレキシブルプリント配線基板製造用の離型フィルムであって、前記(Ｂ)水素添加スチレン系熱可塑性エラストマーの配合量が離型層の樹脂全体に対して１５〜３５wt％であることを特徴とする離型フィルム。
【請求項２】
前記(Ｂ)水素添加スチレン系熱可塑性エラストマーが
(ｉ)スチレン−エチレン−ブチレン−スチレンブロック共重合体、又は
(ii)スチレン−エチレン−プロピレン−スチレンブロック共重合体
である請求項１の離型フィルム。
【請求項３】
水素添加スチレン系熱可塑性エラストマーのスチレン含有量が５０wt％以上である請求項１または２の離型フィルム。
【請求項４】
離型層にさらに(Ｃ)環状ポリオレフィン系樹脂を配合してなる請求項１〜３いずれかの離型フィルム。
【請求項５】
環状ポリオレフィン系樹脂の配合量が離型層の樹脂全体に対して１０〜４５wt％である請求項４の離型フィルム。
【発明の詳細な説明】
【技術分野】
【０００１】
本発明はフレキシブルプリント配線基板の製造工程において用いられる離型フィルムに関する。
【背景技術】
【０００２】
フレキシブルプリント配線板(以下、ＦＰＣということがある)は、ポリイミドフィルムなど絶縁基材の表面に所定の回路を設けたフレキシブル回路部材より構成されている。このようなＦＰＣの製造にあたっては、通常、フレキシブル回路部材を、接着剤付き耐熱樹脂フィルムであるカバーレイで被覆して絶縁及び回路保護を行い、これに離型フィルムを重ねたうえ熱盤により加熱成形(プレス工程)する。
このようなＦＰＣの製造にあたって、離型フィルムには様々な特性が要求される。たとえば、(１)熱プレス後、配線基板から離型フィルムが容易に剥離すること(離型性)、(２)配線基板の外周部において相互接着した離型フィルム同士が剥がれ易いこと(低自己融着性)、および(３)熱プレス時、離型フィルムが基板表面の回路配線の凹凸によく追随して回路配線間を埋めることにより、カバーレイに付着する接着剤(以下、カバーレイ接着剤と言う)の回路配線間への染み出しを防止すること(良好な埋め込み性)が必要である。また、熱プレス後に剥離除去した離型フィルムの一部が導体部に付着して汚染し後工程での回路へのメッキ付き性に支障がないことも重要であり、(４)離型フィルムの配合樹脂間に良好な相溶性のあることも必要である。ＦＰＣの製造工程に用いられる離型フィルムは、このような特性をバランスよく保持する必要がある。さらに離型フィルムに必要な他の特性としては、ＦＰＣへの圧力が全体に均一化されること、仕上がりＦＰＣの外観シワが少ないこと、使用後の離型フィルムに破れのないことなども挙げられる。【０００３】
ＦＰＣ製造用の離型フィルムの１種として、離型層に環状ポリオレフィンを使用したものもあるが、環状オレフィン単体の離型フィルムは、埋め込み性が悪く、すなわち接着剤シミ出し量が多くなる欠点があり原料コストも高い。
また、他の離型フィルムとして、シンジオタクチックポリスチレン(ＳＰＳ) を用いた離型フィルムも提案されている。たとえば特許第3850624号公報には最外層をシンジオタクチックポリスチレン層で構成し、中間層にシンジオタクチックポリスチレン及び／又はオレフィン樹脂で構成した離型フィルムが記載されている(請求項１)。また、特開2000-38461号公報には表面層がシンジオタクチックポリスチレンであって、所定範囲の結晶化度などの物性を有する離型フィルムが開示されている。さらに、特開2001-310428号公報には、シンジオタクチックポリスチレンを主体とする(Ａ層)、スチレン系重合体と他の熱可塑性樹脂からなる(Ｂ層)及びシンジオタクチックポリスチレンを主とする(Ｃ層)からなる積層フィルムが記載されている。
【特許文献１】特許第3850624号公報
【特許文献２】特開2000-38461号公報
【特許文献３】特開2001-310428号公報
【発明の開示】
【発明が解決しようとする課題】
【０００４】
シンジオタクチックポリスチレンからなる離型層を有する離型フィルムは、前記の特性のうち「埋め込み性」が充分ではなくカバーレイ接着剤の染み出し量が多くＦＰＣの製造に用いる実用的な離型フィルムとしては未だ満足できる特性を備えるには至っていない。本発明の目的はシンジオタクチックポリスチレンを用いた離型フィルムの優れた特性を維持しつつ、埋め込み性、メッキ付き性、低自己融着性にも優れた離型フィルムを提供することにある。
【課題を解決するための手段】
【０００５】
本発明は
(Ａ)シンジオタクチックポリスチレン、及び
(Ｂ)水素添加スチレン系熱可塑性エラストマー
を配合した離型層を有するフレキシブルプリント配線基板製造用の離型フィルムであって、前記(Ｂ)水素添加スチレン系熱可塑性エラストマーの配合量が離型層の樹脂全体に対して１５〜３５wt％であることを特徴とする離型フィルムを提供するものである。
本発明において、水素添加スチレン系熱可塑性エラストマーは(ｉ)スチレン−エチレン−ブチレン−スチレンブロック共重合体、又は(ii)スチレン−エチレン−プロピレン−スチレンブロック共重合体であるのが好ましい。水素添加スチレン系熱可塑性エラストマーのスチレン含有量は５０wt％以上であるのが好ましい。【０００６】
離型層にはさらに環状ポリオレフィン系樹脂を配合してよい。環状ポリオレフィン系樹脂としては、(ｉ)環状ポリオレフィン重合体又は、(ii)環状ポリオレフィン系共重合体が用いられる。環状ポリオレフィン系樹脂の配合量は離型層の樹脂全体に対して１０〜４５wt％であるのが好ましい。前記離型層にはさらにクッション層を設けるのが好ましく、クッション層の両面を離型層とするのが好ましい。クッション層はエチレン−メチルアクリレート共重合体、エチレン−メチルメタアクリレート共重合体を主成分とする樹脂組成物からなるのがよい。
【発明を実施するための最良の形態】
【０００７】
本発明にかかるフレキシブルプリント配線基板製造用の離型フィルムは(Ａ)シンジオタクチックポリスチレン及び(Ｂ)水素添加スチレン系熱可塑性エラストマーを配合した離型層を有する。以下に離型層に用いる各樹脂成分について説明する。
本発明の離型フィルムにおいて、その離型層には
(Ａ)シンジオタクチックポリスチレン(ＳＰＳ)に対し、
(Ｂ)水素添加スチレン系熱可塑性エラストマー
が配合される。【０００８】
(Ａ)シンジオタクチックポリスチレン(ＳＰＳ)
ＳＰＳは側鎖が交互に位置する立体規則性を有するシンジオタクチック構造を有するポリスチレンである。具体例としては商品名 ザレックＳ１０４(出光興産(株)製)などとして市販の樹脂を用いることができる。ＳＰＳの配合量は外部離型層の樹脂全体に対して２５wt％以上、好ましくは４１wt％以上である。【０００９】
(Ｂ)水素添加スチレン系熱可塑性エラストマー
本発明で用いられる水素添加スチレン系熱可塑性エラストマーは、室温にてゴム弾性体である共重合体であり、部分的に又は完全に水素添加されたものを指す。その具体例としては、スチレン−ブタジエン共重合体の水添物(ランダム共重合体、ブロック共重合体、グラフト共重合体などすべて含まれる。）が挙げられ、より具体的には水添スチレン−エチレン−ブチレン−スチレン共重合体(ＳＥＢＳ）、水添イソプレン−スチレン共重合体(ＳＥＰ）、水添スチレン−エチレン−プロピレン−スチレン共重合体(ＳＥＰＳ）、水添スチレン−ブタジエンランダム共重合体(ＨＳＢＲ）などが挙げられる。
これら水素添加スチレン系熱可塑性エラストマーの配合量は離型層の樹脂全体に対して、１５〜３５wt％、好ましくは１５〜２９wt％、更に好ましくは２０〜２９wt％である。これら配合量が上記の範囲より少ないと埋め込み性、メッキ付き性が充分でない。また、この範囲より多いと離型性が低下し、自己融着が生じやすい。
また、前記エラストマー中のスチレン含有率は５０wt％以上が好ましい。スチレンの含有率がこれより低いと離型性が低下し、自己融着が生じやすい。上限値は本発明の目的を損なわなければ特に定めないがスチレン含有量が高くなると埋め込み性が劣る傾向にあるので要求される埋め込み性やそのほかの特性に対しこの範囲内において適宜選択することが好ましい。【００１０】
(Ｃ)環状ポリオレフィン系樹脂
本発明の離型フィルムに用いられる環状ポリオレフィン系樹脂は、環状オレフィンのホモポリマーである(ｉ)環状ポリオレフィン重合体(ＣＯＰ)及び、(ii)環状ポリオレフィンの共重合体である環状ポリオレフィン系共重合体(ＣＯＣ)である。
環状ポリオレフィン系樹脂は、主鎖が炭素―炭素結合からなり、主鎖の少なくとも一部に環状炭化水素構造を有する高分子化合物である。この環状炭化水素構造は、ノルボルネンやテトラシクロドデゾンに代表されるような、環状炭化水素構造中に少なくとも一つのオレフィン性二重構造を有する化合物(環状オレフィン)を単量体として用いることで導入される。このような環状ポリオレフィン系樹脂には、環状ポリオレフィンのホモポリマー及び、環状ポリオレフィンとエチレン等鎖状ポリオレフィンとのコポリマーを使用することができる。【００１１】
本発明で使用される環状オレフィンの具体例としては、シクロペンテン、シクロヘキセン、シクロオクテン；シクロペンタジエン、１，３−シクロヘキサジエン等の１環の環状オレフィン；
ビシクロ［２．２．１］ヘプタ−２−エン（慣用名：ノルボルネン）、５−メチル−ビシクロ［２．２．１］ヘプタ−２−エン、５，５−ジメチル−ビシクロ［２．２．１］ヘプタ−２−エン、５−エチル−ビシクロ［２．２．１］ヘプタ−２−エン、５−ブチル−ビシクロ［２．２．１］ヘプタ−２−エン、５−エチリデン−ビシクロ［２．２．１］ヘプタ−２−エン、５−ヘキシル−ビシクロ［２．２．１］ヘプタ−２−エン、５−オクチル−ビシクロ［２．２．１］ヘプタ−２−エン、５−オクタデシル−ビシクロ［２．２．１］ヘプタ−２−エン、５−メチリデン−ビシクロ［２．２．１］ヘプタ−２−エン、５−ビニル−ビシクロ［２．２．１］ヘプタ−２−エン、５−プロペニル−ビシクロ［２．２．１］ヘプタ−２−エン等の２環の環状オレフィン；
トリシクロ［４．３．０．１2,5］デカ−３，７−ジエン（慣用名：ジシクロペンタジエン）、トリシクロ［４．３．０．１2,5］デカ−３−エン；トリシクロ［４．４．０．１2,5］ウンデカ−３，７−ジエン若しくはトリシクロ［４．４．０．１2,5］ウンデカ−３，８−ジエン又はこれらの部分水素添加物（又はシクロペンタジエンとシクロヘキセンの付加物）であるトリシクロ［４．４．０．１2,5］ウンデカ−３−エン；５−シクロペンチル−ビシクロ［２．２．１］ヘプタ−２−エン、５−シクロヘキシル−ビシクロ［２．２．１］ヘプタ−２−エン、５−シクロヘキセニルビシクロ［２．２．１］ヘプタ−２−エン、５−フェニル−ビシクロ［２．２．１］ヘプタ−２−エンといった３環の環状オレフィン；【００１２】
テトラシクロ［４．４．０．１2,5．１7,10］ドデカ−３−エン（単にテトラシクロドデセンともいう）、８−メチルテトラシクロ［４．４．０．１2,5．１7,10］ドデカ−３−エン、８−エチルテトラシクロ［４．４．０．１2,5．１7,10］ドデカ−３−エン、８−メチリデンテトラシクロ［４．４．０．１２,5．１7,10］ドデカ−３−エン、８−エチリデンテトラシクロ［４．４．０．１2,5．１7,10］ドデカ−３−エン、８−ビニルテトラシクロ［４，４．０．１2,5．１7,10］ドデカ−３−エン、８−プロペニル−テトラシクロ［４．４．０．１2,5．１7,10］ドデカ−３−エンといった４環の環状オレフィン；  ８−シクロペンチル−テトラシクロ［４．４．０．１2,5．１7,10］ドデカ−３−エン、８−シクロヘキシル−テトラシクロ［４．４．０．１2,5．１7,10］ドデカ−３−エン、８−シクロヘキセニル−テトラシクロ［４．４．０．１2,5．１7,10］ドデカ−３−エン、８−フェニル−シクロペンチル−テトラシクロ［４．４．０．１2,5．１7,10］ドデカ−３−エン；テトラシクロ［７．４．１3,6．０1,9．０2,7］テトラデカ−４，９，１１，１３−テトラエン（１，４−メタノ−１，４，４ａ，９ａ−テトラヒドロフルオレンともいう）、テトラシクロ［８．４．１4,7．０1,10．０3,8］ペンタデカ−５，１０，１２，１４−テトラエン（１，４−メタノ−１，４，４ａ，５，１０，１０ａ−へキサヒドロアントラセンともいう）；ペンタシクロ［６．６．１．１3,6．０2,7．０9,14］−４−ヘキサデセン、ペンタシクロ［６．５．１．１3,6．０2,7．０9,13］−４−ペンタデセン
、ペンタシクロ［７．４．０．０2,7．１3,6．１10,13］−４−ペンタデセン；ヘプタシクロ［８．７．０．１2,9．１4,7．１11,17．０3,8．０12,16］−５−エイコセン、ヘプタシクロ［８．７．０．１2,9．０3,8．１4,7．０12,17．１13,l6］−１４−エイコセン；シクロペンタジエンの４量体等の多環の環状オレフィンが挙げられる。これらの環状オレフィンは、それぞれ単独であるいは２種以上組合せて用いることができる。【００１３】
環状オレフィンと共重合可能なα−オレフィンの具体例としては、エチレン、プロピレン、１−ブテン、１−ペンテン、１−へキセン、３−メチル−１−ブテン、３−メチル−１−ペンテン、３−エチル−１−ペンテン、４−メチル−１−ペンテン、４−メチル−１−へキセン、４，４−ジメチル−１−ヘキセン、４，４−ジメチル−１−ペンテン、４−エチル−１−へキセン、３−エチル−１−ヘキセン、１−オクテン、１−デセン、１−ドデセン、１−テトラデセン、１−ヘキサデセン、１−オクタデセン、１−エイコセン等の炭素数２〜２０、好ましくは炭素数２〜８のエチレン又はα−オレフィン等が挙げられる。これらのα−オレフィンは、それぞれ単独で、あるいは２種以上を組み合わせて使用することができる。
環状オレフィン又は環状オレフィンとα−オレフィンとの重合方法及び得られた重合体の水素添加方法に、格別な制限はなく、公知の方法に従って行うことができる。
かかる環状ポリオレフィン系樹脂を離型層に配合することによりフィルムの離型性が向上する。環状ポリオレフィン系樹脂の配合量は離型層の樹脂全体に対して１０〜４５wt％、好ましくは１０〜３０wt％である。環状ポリオレフィン系樹脂の配合量が上記範囲より多いと埋め込み性が低下し、上記範囲より少ない場合は離形性が低下する。【００１４】
（クッション層）
本発明の離型フィルムは前記単層フィルムの形態であるほか、クッション層である中間層と、その少なくとも片面に積層された前記の単層フィルムから形成されてよい。このような積層タイプの離型フィルムは、配線基板を熱プレスする際、離型性に加えてクッション性に優れている。クッション層に用いられる樹脂としては、シンジオタクチックポリスチレンと良好な接着性すること、また、熱プレス温度で適度なクッション性を有すると共に積層フィルムの端面から流出することのない樹脂が好ましい。このようなクッション層の樹脂としては、軟化温度(ビカット軟化温度)５０〜１６０℃であるのが好ましい。
軟化温度が５０℃未満であるとプレス時に離型フィルムの端面より樹脂が滲み出してきて当て板等に付着し、次工程への二次汚染の懸念がある。一方、軟化温度が１６０℃を超えると成形性が悪く、ＦＰＣの回路配線細部にボイドが発生する可能性があり好ましくない。なお、クッション層の厚みは特に限定されない。【００１５】
クッション層に用いる材料としては、かかる公知の離型フィルムに用いられている樹脂フィルムがいずれも採用でき、例えばポリエチレン、ポリプロプレン等のα―オレフィン系重合体；エチレン、プロピレン、ブテン、ペンテン、ヘキセン、メチルペンテン等を共重合体成分として有するα―オレフィン系共重合体；ポリエーテルスルホン、ポリフェニレンスルフィド等のエンジニアリングプラスチックス系樹脂が挙げられ、これらを単独あるいは複数併用してもよい。これらのうち特に好ましい材料として具体的には、ポリエチレン、ポリプロピレン等のα−オレフィン系重合体、エチレン−酢酸ビニル共重合体（ＥＶＡ）、エチレン−メチルアクリレート共重合体（ＥＭＡ）、エチレン−メチルメタアクリレート共重合体(ＥＭＭＡ)などのα−オレフィン系共重合体、及びそれらの部分イオン架橋物などが挙げられる。
積層タイプの離型フィルムは、クッション層の片面に単層離型フィルムが積層された２層の離型フィルムであってもよいが、好ましくはクッション層の両面を単層の離型フィルムとした３層以上の積層離型フィルムである。【００１６】
(離型層、離型フィルムの厚み)
離型フィルムの離型層の平均厚みは、強度や柔軟性、密着性を考慮して通常１５〜５０μｍ、好ましくは１５〜４５μｍ、更に好ましくは１５〜３０μｍである。上記範囲より厚みが少ないと熱プレス後に離型層が破れ、ＦＰＣと離型フィルムとを剥離する際に、ＦＰＣ表面に離型層樹脂が残る可能性がある。一方、上記範囲の厚みを超えると対形状追従性が低下しカバーレイ接着剤の染み出し量が多くなる可能性がある。
また、積層離型フィルムの全体の厚みは、離型フィルムの強度や柔軟性、密着性を考慮して通常８０μｍ〜２００μｍ、好ましくは１００μｍ〜１５０μｍである。厚さがこの範囲であると特に離型性と埋め込み性のバランスに優れる。なお、表面層の厚みはクッション層の厚みよりも薄いことが好ましい。【００１７】
(エンボス加工)
本発明離型フィルムの離型層には、表面粗さ(Ｒｚ：十点平均粗さ)が３〜２０μmのエンボス加工、更に好ましくは表面粗さが５〜１５μmのエンボス加工を施すのがよい。離型層の表面粗さ(Ｒｚ)が上記の範囲に満たないとプレス後の仕上がり外観シワが発生しやすくなる。一方、上記範囲を超えるとカバーレイ接着剤が回路基板の凹凸の隙間から染み出し、回路側面にヒゲを生じメッキ付き性を低下させる可能性がある。【００１８】
(離型フィルムの製造及び使用)
本発明の離型フィルムの製造法は特に限定されるものではないが、多層のフィルムを製造するには共押出法、押出ラミネート法、ドライラミネート法など離型フィルムについて従来公知の製造法がいずれも用いることができる。
このようにして得られた本発明の離型フィルムは、ＦＰＣの製造工程において公知の離型フィルムと同様にカバーレイのプレスラミネート用の離型フィルムとして用いられる。たとえば、当て板／ポリ−４−メチル−１−ペンテン樹脂の単層フィルム／クッション紙／離型多層フィルム／カバーレイフィルム／フレキシブルプリント配線板／ポリ−４−メチル−１−ペンテン樹脂の単層フィルム／当て板のプレス構成にてプレス工程に供給する。プレス工程は加圧状態下、例えば１５０〜２００℃、好ましくは１６０〜１８５℃まで昇温し、この温度で３０〜９０分間、好ましくは４５〜８０分間維持する。その後、常温まで冷却する。ここで昇温速度は特には限定されないが５〜３０℃／分が好ましく、特に８〜２０℃／分が好ましい。加圧条件も特に限定はないが、３〜１０ＭＰａが好ましく、特に４〜６ＭＰａが好ましい。
【実施例】
【００１９】
以下に本発明を実施例及び比較例により更に具体的に説明する。実施例及び比較例において使用した原材料及びその物性は以下のとおりである。
(ａ)シンジオタクチックポリスチレン（ＳＰＳ）：
ザレック Ｓ１０４（出光興産(株)製）
(ｂ)スチレン−エチレン−ブチレン−スチレンブロック共重合体(ＳＥＢＳ)：
セプトン Ｓ８１０４（(株)クラレ製）スチレン  ６０wt％
セプトン Ｓ８００７（(株)クラレ製）スチレン  ３０wt％
(ｃ)スチレン−エチレン−プロピレン−スチレンブロック共重合体(ＳＥＰＳ)
セプトンＳ２１０４（(株)クラレ製） スチレン ６５wt％
(ｄ)環状ポリオレフィン系共重合体(ＣＯＣ)：
ＴＯＰＡＳ ６０１７（ポリプラスチックス(株)製）
［ノルボルネンとエチレンの共重合体；共重合比８２／１８ｗｔ％］
(ｅ)環状ポリオレフィン重合体(ＣＯＰ)：
ゼオノア １６００（Ｔｇ＝１６０℃、日本ゼオン(株)製）
［ノルボルネン系モノマーの開環重合体］
(ｆ) エチレン−メチルメタアクリレート共重合体（ＥＭＭＡ）：
アクリフトＷＤ１０５−１（住友化学(株)製）【００２０】
［実施例１〜２２及び比較例１〜１３］
（試料調製）
実施例１では、１台の押出機に表１に示す組成の離型層樹脂を供給し、単層ダイス(３００℃)より押出して所定の厚さの離型単層フィルムを作成した。また、実施例２では、２台の押出機に離型層樹脂、クッション層樹脂として、表１に示す各組成のポリマーを供給し、二層ダイス(３００℃)より共押出して所定の厚さの離型多層フィルムを作成した。
実施例３〜２２及び比較例１〜１３では、３台の押出機に離型層樹脂、クッション層樹脂、離型層樹脂として、表１に示す各組成のポリマーを供給し、三層ダイス(３００℃)より共押出して所定の厚さの離型多層フィルムを作成した。なお、実施例２０〜２２については、エンボスロールを用いたオフラインエンボスによる表面加工を施し、表１に示す表面粗さ(Ｒｚ；十点平均粗さ)を得た。
この離型フィルムを用い、当て板／ポリ−４−メチル−１−ペンテン樹脂の単層フィルム／クッション紙／離型フィルム／カバーレイフィルム／フレキシブルプリント配線板／ポリ−４−メチル−１−ペンテン樹脂の単層フィルム／当て板のプレス構成にて一段型プレス機によりプレスした。プレスにあたっては加圧(５ＭＰａ)条件下、昇温速度１０℃／分にて１７０℃まで昇温した。ついで、同温度にて３０分間保持し、その後、常温まで冷却した。次にこれを取り出し評価した。
なお、評価はＪＰＣＡ規格（デザインガイドマニュアル・片面及び両面フレキシブルプリント配線板・ＪＰＣＡ―ＤＧ０２、以下、ＪＰＣＡ規格と略す）に準拠し、以下のような項目と基準で行った。結果を表１に示す。【００２１】
（評価項目）
離型性（離型フィルムの破れ）
離型性は「ＪＰＣＡ規格の７．５．７．１項表面の付着物」に準拠し、回路基板製造後に離型フィルムと回路基板の剥離状態を目視で評価した。各符号は以下のとおりである。
×を不合格とし、それ以外を合格とした。
◎：破れ発生率  ０％
○：破れ発生率  ２．０％未満
△：破れ発生率  ２．０％以上５．０％未満
×：破れ発生率  ５．０％以上
カバーレイ接着剤の染み出し量  
回路基板にカバーレイ接着剤の染み出しがあるか否かを、「ＪＰＣＡ規格の７．５．３．６項のカバーレイ接着剤の流れおよびカバーコートのにじみ」に準拠し、回路端子部への染み出し量を評価した。この特性により「埋め込み性」を判定した。
各符号は以下のとおりである。×を不合格とし、それ以外を合格とした。
◎：全ての回路基板で染み出し量が１００μｍ未満
○：全ての回路基板で染み出し量が１５０μｍ未満
△：全ての回路基板で染み出し量が２００μｍ未満
×：全ての回路基板で染み出し量が２００μｍ以上
低自己融着性
低自己融着性は、回路基板製造後の配線基板の外周部において相互接着した離型フィルムの剥がれ易さを評価した。
各符号は以下のとおりである。×を不合格とし、それ以外を合格とした。
○：容易に剥離
△：剥離できるが、若干重い
×：剥離できない
メッキ付き性 
メッキ付き性は、「ＪＰＣＡ規格の７．５．４項のメッキの外観（必要メッキ面積の９０％以上にメッキが付いているものを良品）」に準拠して評価した。各符号は以下のとおりである。×を不合格とし、それ以外を合格とした。
○：良品が９８％以上
×：良品が９８％未満
外観シワ 
外観は、「ＪＰＣＡ規格の７．５．７．２項のシワ」に準じて評価した。
各符号は以下のとおりである。×を不合格とし、それ以外を合格とした。
○：シワ発生率が２．０％未満
×：シワ発生率が２．０％以上【００２２】
【表１】
2009016952.tif 000002
【産業上の利用可能性】
【００２３】
シンジオタクチックポリスチレンを用いて、熱プレス時のカバーレイ接着剤の染み出しが完全に防止できるなど、優れた特性を備えた離型フィルムをとしてＦＰＣ製造工程で用いることができる。
【国際調査報告】
2009016952.tif 000003
2009016952.tif 000004
2009016952.tif 000005
2009016952.tif 000006